(57)【特許請求の範囲】
【請求項１】
寒冷地において型枠内に打設後のコンクリートを電熱養生シートで覆うとともに、該電熱養生シートで覆われた型枠全体を保温シートにより覆うことによりコンクリートの加熱養生を行う場合に用いるコンクリート養生温度監視装置であって、
前記電熱養生シートの内側のコンクリート養生温度、外気温、及び前記保温シートに覆われた地盤の温度を検出する温度検出部と、該温度検出部からの出力信号を温度表示信号に変換して出力する信号処理部と、該信号処理部からの温度表示信号に従って前記電熱養生シートの内側のコンクリート養生温度、外気温、及び前記保温シートに覆われた地盤の温度を表示する表示部とを備えたことを特徴とするコンクリート養生温度監視装置。
【請求項２】
前記温度検出部は、前記電熱養生シートの内側のコンクリート養生温度、外気温、前記保温シートに覆われた地盤の温度の各温度のうちのいずれか一部又は全部について、それぞれ複数箇所の温度を検出するための複数の温度検出器を備え、前記信号処理部は、各温度についての複数の温度検出器からの出力信号の平均値を算出し、温度表示信号に変換して出力することを特徴とする請求項１記載のコンクリート養生温度監視装置。
【発明の詳細な説明】
【０００１】
【発明の属する技術分野】
本発明は、寒冷地の建設現場で、養生温度を制御しながらコンクリートの加熱養生を行う場合において、コンクリートの養生温度を視覚的に監視することができるコンクリート養生温度監視装置に関する。
【０００２】
【従来の技術】
気温が氷点下になるような寒冷地の建設現場において住宅の基礎などのコンクリートを養生する場合に、コンクリートの凍結を防止し、なおかつ養生期間の短縮を図るため、電熱ヒータを内蔵した電熱養生シートを用いて加熱養生をするコンクリートの加熱養生方法が採用される場合がある。
【０００３】
そのようなコンクリートの加熱養生方法の一つとして、本件出願人らにより先に開示された特開平１０−２２０００５号公報に記載の「基礎コンクリートの養生方法」がある。この「基礎コンクリートの養生方法」は、図６に示すように、基礎型枠５にコンクリート６を打設後、該基礎型枠５を、ＰＴＣ特性を有する複数のセラミックス素子を導電線でつないで線状としたＰＴＣ線状ヒータを内蔵した電熱養生シート７で覆い、該電熱養生シート７を加熱制御して前記コンクリート６を所定温度で養生するというものである。前記ＰＴＣ線状ヒータは、セラミックス半導体を主成分とし、一定の温度になると抵抗値が急激に大きくなって電流を通さなくなるという、通電量の自己制御特性を有する。したがって、この「基礎コンクリートの養生方法」において使用される前記電熱養生シート７には、バイメタルなどの特別の温度制御装置を備える必要がなく、所定温度でコンクリート６の加熱養生を行うことができるという利点がある。
【０００４】
しかしながら、上記「基礎コンクリートの養生方法」においては、作業者は、前記ＰＴＣ線状ヒータが所定の温度になるまで発熱し、コンクリート養生温度が最適な温度となっているかどうかを容易に知ることができない。そのために万一、前記ＰＴＣヒータが故障するなどして、過剰に温度が上昇した場合などに、作業者による対応が遅れる可能性がある。そこで、コンクリート養生温度を作業者が容易に監視することができるようにし、それにより、過剰な温度上昇による事故を未然に防いでコンクリート６の加熱養生作業の一層の安全を図るとともに、常に一定温度でコンクリート６の加熱養生を行うように監視して基礎コンクリート６の品質向上を図る必要があった。
【０００５】
また、上記「基礎コンクリートの養生方法」のような、コンクリートの加熱養生方法を採用すれば、寒冷地における養生中のコンクリート６の凍結防止及び養生期間の短縮を図ることができるとともに、外気温に影響されずに一定温度でコンクリート６の養生を行うことができるので、建物全体の施工期間の短縮や、コンクリート６の品質向上を図ることが可能となる。したがって、このようなコンクリートの加熱養生方法を採用していることを顧客、又は周囲の住人や通行者などに広く知らしめることができれば、施工技術や信頼性の高さを宣伝することとなり、他社との差別化、顧客満足度の向上などを図る上で望ましい。しかし、上記「基礎コンクリートの養生方法」を採用したのみでは、この養生方法について説明を受けた者以外にはその利点についてほとんど知られることがなく、他社との差別化、顧客満足度の向上などを図ることができない。
【０００６】
【発明が解決しようとする課題】
本発明は、上記課題に鑑みてなされたものであって、コンクリートの加熱養生方法を採用する場合において、コンクリート養生温度が最適な温度で一定に保たれているかを視覚的に容易に監視することができるようにすることにより、過剰な温度上昇による事故を未然に防いでコンクリートの加熱養生作業の一層の安全を図るとともに、常に一定温度でコンクリートの加熱養生を行うように監視してコンクリートの品質向上を図ること、及び、コンクリートの加熱養生方法を採用していることを顧客、周囲の住人、又は通行者などに広く知らしめることにより、施工技術や信頼性の高さを宣伝し、他社との差別化、顧客満足度の向上を図ることを目的とする。
【０００７】
【課題を解決するための手段】
上記の目的を解決するための具体的手段は、次のようなものである。すなわち、請求項１に記載するコンクリート養生温度監視装置は、寒冷地において型枠内に打設後のコンクリートを電熱養生シートで覆うとともに、該電熱養生シートで覆われた型枠全体を保温シートにより覆うことによりコンクリートの加熱養生を行う場合に用いるコンクリート養生温度監視装置であって、前記電熱養生シートの内側のコンクリート養生温度、外気温、及び前記保温シートに覆われた地盤の温度を検出する温度検出部と、該温度検出部からの出力信号を温度表示信号に変換して出力する信号処理部と、該信号処理部からの温度表示信号に従って前記電熱養生シートの内側のコンクリート養生温度、外気温、及び前記保温シートに覆われた地盤の温度を表示する表示部とを備えたことを特徴とするものである。
【０００８】
請求項２に記載するコンクリート養生温度監視装置は、前記温度検出部は、前記電熱養生シートの内側のコンクリート養生温度、外気温、前記保温シートに覆われた地盤の温度の各温度のうちのいずれか一部又は全部について、それぞれ複数箇所の温度を検出するための複数の温度検出器を備え、前記信号処理部は、各温度についての複数の温度検出器からの出力信号の平均値を算出し、温度表示信号に変換して出力することを特徴とするものである。
【００１０】
【発明の実施の形態】
以下、本発明の第１の実施形態に係るコンクリート養生温度監視装置について図面に基づいて説明する。本発明の第１の実施形態に係るコンクリート養生温度監視装置１は、図４に示すように、電熱養生シート７の内側のコンクリート養生温度、外気温、及び保温シート１５に覆われた地盤の温度を検出する温度検出部３と、該温度検出部３からの出力信号ａを温度表示信号ｂに変換して出力する信号処理部４と、該信号処理部４からの温度表示信号ｂに従って電熱養生シート７の内側のコンクリート養生温度、外気温、及び保温シート１５に覆われた地盤の温度を表示する表示部２とを備えている。以下、更に詳細に説明する。
【００１１】
本実施形態においては、コンクリートの加熱養生方法は、住宅などの基礎を施工する場合において、基礎型枠５の中にコンクリート６を打設後、該基礎型枠５を列毎にヒータ内蔵の電熱養生シート７で覆うとともに、該電熱養生シート７で覆われた前記基礎型枠５の全体を保温シート１５により覆い、前記電熱養生シート７を加熱制御してコンクリート６を所定温度で養生するというものである。このようなコンクリートの加熱養生方法においては、前記電熱養生シート７の上から保温シート１５で更に覆うため、前記電熱養生シート７で発生する熱の発散を抑えることができるとともに、前記保温シート１５により覆われている部分における地盤９の凍結を防止することができるという効果を奏する。したがって、前記保温シート１５により覆われた地盤９、すなわち、基礎コンクリート６により囲まれた床下地盤９に、束石や土間コンクリートを設けるための根切り工事を行う必要がある場合においても、地盤９の凍結が障害となることを防止することができる。
【００１２】
前記温度検出部３は、前記電熱養生シート７の内側のコンクリート養生温度及び外気温をそれぞれ検出するために設けられる。したがって、前記温度検出部３を構成する温度検出器８のうち、コンクリート養生温度を検出するための温度検出器８は、前記電熱養生シート７により覆われた内部の空間のいずれかの位置に設置する。より具体的には、前記型枠５のリブに形成された孔に引っ掛けるなどして地盤９など他の部分の温度の影響を受けない位置に設置する。また、外気温を検出するための温度検出器８は、前記電熱養生シート７からの発熱の影響を受けないようにするため、前記電熱養生シート７から十分に離れた外部に設置する。通常は、前記信号処理部４の近傍に設置する場合が多い。そして、これらの温度検出器８としては、設置された場所の温度を検出し、それに応じた電圧等の電気信号を出力することができるものであれば良く、既存の様々な温度検出器８を使用することができる。また、コンクリート養生温度及び外気温に加えて、前記床下地盤の温度をも検出し、該床下地盤の温度を表示部２に表示することができるようにしている。そのため、前記温度検出部３を構成する温度検出器８は、前記電熱養生シート７により覆われた内部及び前記電熱養生シート７から十分に離れた外部に加えて、前記保温シート１５により覆われた部分である前記床下地盤９の上にも設置する。
【００１３】
前記温度検出部３において検出された温度に応じて出力される出力信号ａは、前記信号処理部４に入力される。そして、前記信号処理部４は、電圧等のかたちで出力される前記出力信号ａを、前記表示部２においてデジタル表示するための温度表示信号ｂに変換して前記表示部２へ出力する。前記温度表示信号ｂは、前記表示部２の後述する電光表示部１０のＬＥＤの所定部分を点灯又は消灯させる命令の組み合わせにより構成され、該温度表示信号ｂに従って、前記電光表示部１０は前記温度検出部３において検出された温度を表示することとなる。なお、ここでは、前記信号処理部４は、前記表示部２と一体的に連結されているが、これに限定されるものではなく、例えば、前記表示部２に内蔵したり、あるいは完全に独立させて形成することもできる。
【００１４】
前記表示部２は、その前面に、コンクリート養生温度及び外気温をそれぞれデジタル表示するための２個の電光表示部１０が配置されている。該２個の電光表示部１０は、共にマイナス符号及び２桁の数字を表示可能なように高輝度ＬＥＤを配置して構成され、前記温度表示信号ｂに従って、前記ＬＥＤの所定部分を点灯又は消灯させることにより、−９９〜９９℃までの温度を表示できるようになっている。ここで、前記電光表示部１０には高輝度ＬＥＤを使用しているため、離れた場所から見る場合や、夜間、悪天候の場合などにおいても高い視認性を発揮することができる。なお、前記電光表示部１０の構成はこれに限定されるものではなく、例えば、図２に示すように、３桁の数字を表示可能とし、中央の数字の右下に小数点を配置して、−９９．９〜９９．９℃までの間で０．１℃単位で表示できるようにすることも可能である。また、前記高輝度ＬＥＤに代えて液晶や電球などによって数字を表示するようにしても良い。
【００１５】
そして、前記表示部２の電光表示部１０の左隣には、表示されるそれぞれの温度に対応させて「外気温」及び「コンクリート養生温度」の文字を配置し、前記電光表示部１０の右隣には、それぞれ「℃」の文字を配置している。これらの文字を配置することによって、前記電光表示部１０により表示された数字が何を表示しているものであるかが一目でわかるようになっている。また、ここでは、前記電光表示部１０の上に「只今、基礎コンクリート養生中です」の文字を配置しており、顧客、周囲の住人、又は通行者などに対し、温度管理を行いながらコンクリート６の加熱養生を行っていることを容易に知らしめることができるようにしている。また、前記表示部２には、コンクリート養生温度及び外気温を表示するための電光表示部１０に加えて、前記床下地盤の温度を表示するための電光表示部１０が配置され、合計３個の電光表示部１０が配置されることになる。そして、前記床下地盤の温度を表示するための電光表示部１０の左隣には、「床下地盤温度」の文字を配置し、右隣には「℃」の文字を配置している。
【００１６】
また、図１及び前記表示部２の右側面図である図３に示すように、前記表示部２の上面には、２個の取付用リング１１が設けられ、該取付用リング１１の後方には、前記表示部２の背面に突出させるようにして２個のコ字形掛止具１２が設けられている。これらの取付用リング１１及びコ字形掛止具１２は、ともに前記表示部２を見易い位置に取り付けるために用いられるものであり、具体的には、前記取付用リング１１にロープ１３やＳ字金具などを挿通して壁や支柱などに掛止し、あるいは、工事現場を仕切るフェンス１４の上部に前記コ字形掛止具１２を掛止するなどして用いられる。宣伝効果を高めるため、前記表示部２は、通行人などからも見易い道路沿いに位置するように取り付けることが望ましい。
【００２１】
本発明の第２の実施形態に係るコンクリート養生温度監視装置１は、図５に示すように、前記電熱養生シートの内側のコンクリート養生温度、外気温、及び地盤の温度を検出する温度検出部３と、該温度検出部３からの出力信号ａを温度表示信号ｂに変換して前記表示部２へ出力する信号処理部４と、該信号処理部４からの温度表示信号ｂに従ってコンクリート養生温度、外気温、及び地盤の温度を表示する表示部２とを備えるとともに、前記温度検出部３は、コンクリート養生温度及び地盤の温度の各温度について、それぞれ２箇所ずつ温度を検出するために２個のずつの温度検出器８を備え、前記信号処理部４は、コンクリート養生温度及び地盤の温度の各温度についての２個の温度検出器８からの出力信号ａの平均値を算出し、温度表示信号ｂに変換して前記表示部２へ出力するというものである。
【００２２】
すなわち、本実施形態に係るコンクリート養生温度監視装置１は、前記第１の実施形態において、コンクリート養生温度及び地盤の温度の各温度を検出するための温度検出器８をそれぞれ１個ずつ増加して、各温度につき２個ずつの温度検出器８を設置するとともに、前記信号処理部４が、コンクリート養生温度及び地盤の温度の各温度についての２個の温度検出器８からの出力信号ａの平均値を算出した上で、温度表示信号ｂに変換して前記表示部２へ出力することができるようにしたものである。このように、コンクリート養生温度及び地盤の温度の各温度について、それぞれ複数個所の温度を検出してその平均値を前記表示部２で表示することによって、各温度についてより正確な温度を表示することができ、コンクリート養生温度及び地盤の温度を正確に監視することが可能となる。
【００２３】
なお、本実施形態においては、外気温は１箇所でのみ検出しているが、これを複数箇所において検出するようにしても良く、コンクリート養生温度及び地盤の温度の各温度については、それぞれ２箇所ずつで温度を検出しているが、それ以上の複数箇所において温度を検出するようにしても良い。また、前記第１の実施形態においてコンクリート養生温度及び／又は外気温をそれぞれ複数箇所において検出するようにしても良い。
【００２４】
【発明の効果】
以上説明したように、本発明に係るコンクリート養生温度監視装置によれば、以下のような効果を奏する。すなわち、請求項１に記載するコンクリート養生温度監視装置によれば、前記電熱養生シートの内側のコンクリート養生温度、外気温、及び前記保温シートに覆われた地盤の温度を検出する温度検出部と、該温度検出部からの出力信号を温度表示信号に変換して出力する信号処理部と、該信号処理部からの温度表示信号に従って前記電熱養生シートの内側のコンクリート養生温度、外気温、及び前記保温シートに覆われた地盤の温度を表示する表示部とを備えたことにより、電熱養生シートの内側のコンクリート養生温度、外気温、及び保温シートに覆われた地盤の温度を視覚的に明瞭にわかるように表示することができる。したがって、寒冷地において型枠内に打設後のコンクリートを電熱養生シートで覆うとともに、該電熱養生シートで覆われた型枠全体を保温シートにより覆うことによりコンクリートの加熱養生を行う場合において、電熱養生シートの内側のコンクリート養生温度及び保温シートに覆われた地盤の温度が最適な温度で一定に保たれているかを作業者が視覚的に容易に監視することができるので、過剰な温度上昇による事故を未然に防いでコンクリートの加熱養生作業の一層の安全を図るとともに、常に一定温度でコンクリートの加熱養生を行うように監視してコンクリートの品質向上を図ることができる。
【００２５】
また更に、コンクリートの加熱養生方法を採用していることを顧客、周囲の住人、又は通行者などに広く知らしめることができるので、施工技術や信頼性の高さを宣伝し、他社との差別化、顧客満足度の向上を図ることができる。
【００２７】
請求項２に記載するコンクリート養生温度監視装置によれば、前述の効果に加えて、前記温度検出部は、前記電熱養生シートの内側のコンクリート養生温度、外気温、前記保温シートに覆われた地盤の温度の各温度のうちのいずれか一部又は全部について、それぞれ複数箇所の温度を検出するための複数の温度検出器を備え、前記信号処理部は、各温度についての複数の温度検出器からの出力信号の平均値を算出し、温度表示信号に変換して出力することにより、これらの各温度についてより正確な温度を表示することができ、電熱養生シートの内側のコンクリート養生温度、外気温、及び保温シートに覆われた地盤の温度をそれぞれ正確に監視することが可能となる。
【図面の簡単な説明】
【図１】本発明の第１の実施形態に係るコンクリート養生温度監視装置の説明図である。
【図２】本発明の第１の実施形態に係るコンクリート養生温度監視装置において、表示温度を３桁とした場合の例を示すの説明図である。
【図３】本発明の第１の実施形態に係るコンクリート養生温度監視装置の右側面図である。
【図４】本発明の第２の実施形態に係るコンクリート養生温度監視装置の説明図である。
【図５】本発明の第３の実施形態に係るコンクリート養生温度監視装置の説明図である。
【図６】従来技術に係るコンクリートの加熱養生方法の説明図である。
【符号の説明】
１  コンクリート養生温度監視装置
２  表示部
３  温度検出部
４  信号処理部
５  型枠
６  コンクリート
７  電熱養生シート
８  温度検出器
９  地盤
１０  電光表示部
１１  取付用リング
１２  コ字形掛止具
１５  保温シート
ａ  出力信号
ｂ  温度表示信号
【図１】
0003750900.tif 000002
【図２】
0003750900.tif 000003
【図３】
0003750900.tif 000004
【図４】
0003750900.tif 000005
【図５】
0003750900.tif 000006
【図６】
0003750900.tif 000007